(57)【要約】【課題】荷重に対して十分な耐久力を備えしかも電装品箱本体に配置する電子部品や配線に支障を与えないようにした端子台搭載板を実現する。【解決手段】端子台搭載板８４は、基端部から先端方向に伸びる平面形状の端子台取付板８４ａと、端子台取付板８４ａの両側から直角に同じ方向に折り曲げられた脚板８４ｂ、８４ｃとを有し、脚板８４ｂは基端部において電装品箱本体８１の底板８１ａに当接する取付片８４ｂ３を備える。【選択図】図１
2016095074.tif 000002
【特許請求の範囲】
【請求項１】
空気吹出口を有する前面板と空気吸込口を有する背面板と左側面板と右側面板と天面板と底面板を有する筐体と、前記筐体内の前記空気吸込口と前記空気吹出口を結ぶ空気通路内に配置された熱交換器およびファン装置と、前記左側面板または前記右側面板のいずれか一方の外面に取り付けられた直方体形状の電装品箱とを備えた空気調和機において、
前記電装品箱は開口部を有する電装品箱本体と該電装品箱本体の前記開口部を閉じる電装品箱蓋を備え、
前記電装品箱本体は、前記電装品箱の底面となる底板と前記底板の向かい合う二辺から同じ向きに垂直に立設された前記電装品箱の対向する一方の一対の側面となる一対の本体側板と、該一対の本体側板のうちの一方の本体側板に設けられたケーブル引込孔と、前記一方の本体側板の内面において前記ケーブル引込孔と前記底板との間に取り付けられる端子台搭載板とを備え、
前記端子台搭載板は、前記一方の本体側板に取り付けられる基端部と、該基端部から前記一対の本体側板のうちの他方の本体側板の方向に伸び先端が自由端となった平面形状の端子台取付板と、該端子台取付板の前記基端部の両側から折り曲げられて互いに対向するように形成された第１および第２の脚板とを有する、
ことを特徴とする空気調和機。
【請求項２】
請求項１に記載の空気調和機において、
前記第１および第２の脚板は、前記基端部の側の脚長が長く、前記端子台取付板における前記自由端の側の脚長が短い三角部を有することを特徴とする空気調和機。
【請求項３】
請求項１又は２に記載の空気調和機において、
前記一方の本体側板の一方の端部に内側に折り曲げられた補強片が形成され、
前記端子台搭載板は、前記第１および第２の脚板の内のいずれか一方の脚板の外面が、前記補強片の内面にガイドされ、且つ前記第１および第２の脚板における前記基端部が、前記一方の本体側板の内面に当接するよう取り付けられることを特徴とする空気調和機。
【請求項４】
請求項１、２又は３に記載の空気調和機において、
前記端子台取付板の前記基端部の側に前記電装品箱本体の底板方向に折り曲げられた第１の取付フランジが形成され、前記第１の脚板の前記基端部の側に前記第２の脚板の方向に折り曲げられた第２の取付フランジが形成され、前記第２の脚板の前記基端部の側に前記第１の脚板の方向に折り曲げられた第３の取付フランジが形成され、
前記第１乃至第３の取付フランジは、前記端子台取付板の前記後端において１直線に並び、前記電装品箱本体の前記第１の本体側板の内面に固定されるようにしたことを特徴とする空気調和機。
【発明の詳細な説明】
【技術分野】
【０００１】
本発明は、電装品箱を有する空気調和機に関する。
【背景技術】
【０００２】
図３に従来の空気調和機の室内機を示す。この室内機は、空気吹出口（図示せず）を有する前面板１０、空気吸込口２１を有する背面板２０、左側面板３０、右側面板４０、天面板（図示せず）、および底面板５０で室内機の筐体１００が形成され、前面板１０の空気吹出口と背面板２０の空気吸込口２１の間の空気通路内にはファン装置６０と熱交換器７０が配置されている。詳しくは、前面板１０の空気吹出口の内側にはファン装置６０が配置され、背面板２０の空気吸込口２１の内側には熱交換器７０が配置されている。そして、左側面板３０の外面に直方体形状の電装品箱８０が取り付けられている。
【０００３】
この電装品箱８０は、金属製の電装品箱本体８１と、その電装品箱本体８１の開口部分を閉じて電装品箱本体８１とで直方体を形成する金属製の電装品箱蓋８３とで構成されている。
【０００４】
電装品箱本体８１は、電装品箱８０の底面となり電気部品が搭載された基板が取り付けられる四角形状の底板８１ａと、底板８１ａの向かい合う二辺から同じ向きに垂直に立設された、電装品箱８０の対向する一方の一対の側面となる一対の本体側板８１ｂ，８１ｃを備える。また、その一対の本体側板８１ｂ，８１ｃの折り曲げ部の一方（図３では上側）の端の相互間と他方（図３では下側）の端の相互間には、電装品箱蓋８２を取り付けるための一対の取付フランジ８１ｄ，８１ｅが設けられている。
【０００５】
８１ｂ１，８１ｂ２は本体側板８１ｂの両端において電装品箱本体８１の内側に折り曲げられて形成された補強片、８１ｃ１，８１ｃ２は本体側板８１ｃの両端において電装品箱本体８１の内側に折り曲げられて形成された補強片である。また、本体側板８１ｂの先端部には、取付フランジ８１ｄに寄った側に、電装品箱８０の内部にケーブルを引き込むためのケーブル挿通プレート８３が設けられている。
【０００６】
電装品箱蓋８２は、電装品箱８０の天面となる四角形状の天板８２ａと、その天板８２ａの向かい合う二辺から同じ向きに垂直に立設され電装品箱８２の対向する他方の一対の側面となる一対の蓋側板８２ｂ、８２ｃと、蓋側板８３ｂの先端部分を外側に折り曲げて形成した取付フランジ８３ｆと、蓋側板８３ｃの先端部分を外側に折り曲げて形成した取付フランジ８３ｇを備える。
【０００７】
そして、電装品箱蓋８２の取付フランジ８２ｄを電装品箱本体８１の取付フランジ８１ｄに対してねじＡ１で固着し、電装品箱蓋８２の取付フランジ８２ｅを電装品箱本体８１の取付フランジ８１ｅに対してねじＡ２で固着することにより、電装品箱本体８１の開口部分が電装品箱蓋８２によって閉じられ、直方体の電装品箱８０が構成される。
【０００８】
このような電装品箱８０において、電装品箱本体８１にケーブル挿通プレート８３を経由して引き込んだケーブルの先端は、電装品箱本体８１内に取り付けた端子台に接続されるが、その端子台は比較的形状が大きいので、小型化の傾向にある電装品箱本体８１内での占有スペースが相対的に大きくなる。
【０００９】
そこで、図４に示すように、電装品箱本体８１のケーブル挿通プレート８３の内側において、その挿通孔８３ａの下側に、端子台搭載板８５を取付フランジ８５ｂにより片持支持で取り付け、その取付フランジ８５ｂから電装品箱本体８１の底板８１ａに平行に伸びる端子台取付板８５ａの上面に、端子台を搭載することが検討された。
【００１０】
しかし、この手法では、端子台取付板８５ａに搭載する端子台にケーブルをドライバで接続する際に、矢印Ａ方向に比較的大きな荷重がかかるので、その片持支持の端子台搭載板８５では、その端子台搭載板８５が取り付けられた本体側板８１ｂが、矢印Ｂ方向に撓む恐れがある。
【００１１】
そこで更に、図５に示すように、端子台取付板８５ａの先端の両側に脚板８５ｃ，８５ｄを設けて、その脚板８５ｃの下端が電装品箱本体８１の底板８１ａで支持され、脚板８５ｄが取付フランジ８１ｄ（図３参照）で支持されるようにする端子台搭載板８５Ａがさらに検討された。なお、端子台搭載板を片持支持させる構成は、特許文献１に記載がある。
【先行技術文献】
【特許文献】
【００１２】
【特許文献１】特開２０１１−１０２６５３号公報
【発明の概要】
【発明が解決しようとする課題】
【００１３】
ところが、図５で説明した端子台搭載板８５Ａは、矢印Ａ方向の荷重に対しては十分な耐久力を発揮することができるものの、脚板８５ｃが電装品箱本体８１の底板８１ａの中央部分近くに位置するので、その部分に配置する電子部品や配線の支障になるという問題があった。
【００１４】
本発明の目的は、ケーブルを端子台にドライバ等で接続する時に加わる荷重に対して十分な耐久力を備えしかも電装品箱本体内の電子部品や配線の配置に支障を与えないようにした端子台搭載板を備えた電装品箱を有する空気調和機を提供することである。
【課題を解決するための手段】
【００１５】
上記目的を達成するために、請求項１にかかる発明は、空気吹出口を有する前面板と空気吸込口を有する背面板と左側面板と右側面板と天面板と底面板を有する筐体と、前記筐体内の前記空気吸込口と前記空気吹出口を結ぶ空気通路内に配置された熱交換器およびファン装置と、前記左側面板または前記右側面板のいずれか一方の外面に取り付けられた直方体形状の電装品箱とを備えた空気調和機において、前記電装品箱は開口部を有する電装品箱本体と該電装品箱本体の開口部を閉じる電装品箱蓋を備え、前記電装品箱本体は、前記電装品箱の底面となる底板と前記底板の向かい合う二辺から同じ向きに垂直に立設された前記電装品箱の対向する一方の一対の側面となる一対の本体側板と、該一対の本体側板のうちの一方の本体側板に設けられたケーブル引込孔と、前記一方の本体側板の内面において前記ケーブル引込孔と前記底板との間に取り付けられる端子台搭載板とを備え、前記端子台搭載板は、前記一方の本体側板に取り付けられる基端部と、該基端部から前記一対の本体側板のうちの他方の本体側板の方向に伸び先端が自由端となった平面形状の端子台取付板と、該端子台取付板の前記基端部の両側から折り曲げられて互いに対向するように形成された第１および第２の脚板とを有する、ことを特徴とする。
【００１６】
請求項２にかかる発明は、請求項１に記載の空気調和機において、前記第１および第２の脚板は、前記基端部の側の脚長が長く、前記端子台取付板における前記自由端の側の脚長が短い三角部を有することを特徴とする。
【００１７】
請求項３にかかる発明は、請求項１又は２に記載の空気調和機において、前記一方の本体側板の一方の端部に内側に折り曲げられた補強片が形成され、前記端子台搭載板は、前記第１および第２の脚板の内のいずれか一方の脚板の外面が、前記補強片の内面にガイドされ、且つ前記第１および第２の脚板における前記基端部が、前記一方の本体側板の内面に当接するよう取り付けられることを特徴とする。
【００１８】
請求項４にかかる発明は、請求項１、２又は３に記載の空気調和機において、前記端子台取付板の前記基端部の側に前記電装品箱本体の底板方向に折り曲げられた第１の取付フランジが形成され、前記第１の脚板の前記基端部の側に前記第２の脚板の方向に折り曲げられた第２の取付フランジが形成され、前記第２の脚板の前記基端部の側に前記第１の脚板の方向に折り曲げられた第３の取付フランジが形成され、前記第１乃至第３の取付フランジは、前記端子台取付板の前記後端において１直線に並び、前記電装品箱本体の前記第１の本体側板の内面に固定されるようにしたことを特徴とする。
【発明の効果】
【００１９】
本発明の端子台搭載板は、一方の本体側板に取り付けられる基端部と、該基端部から他方の本体側板の方向に伸び先端が自由端となった平面形状の端子台取付板と、該端子台取付板の基端部の両側から折り曲げられて互いに対向するように形成された第１および第２の脚板とを有するように構成したので、第１および第２の脚板によって端子台取付板の上面からの荷重に対して十分な耐久力を備える。また、端子台搭載板の第１および第２の脚板の内のいずれか一方の脚板の外面が前記補強片の内面にガイドされ、且つ第１および第２の脚板における基端部が第１の本体側板の内面に当接するよう取り付けられるようにすることで、第１および第２の脚板が電装品箱本体に配置する電子部品や配線に支障を与える恐れは少なくなる。
【図面の簡単な説明】
【００２０】
【図１】本発明の端子台搭載板を取り付けた電装品箱本体の斜視図である。
【図２】（ａ）は端子台搭載板の平面図、（ｂ）は同左側面図、（ｃ）は背面図である。
【図３】従来の空気調和機の概略構成図である。
【図４】検討した端子台搭載板を取り付けた電装品箱本体の斜視図である。
【図５】別の検討した端子台搭載板を取り付けた電装品箱本体の斜視図である。
【発明を実施するための形態】
【００２１】
以下、本発明を空気調和機の室内機を例にして説明するが、電装品箱以外については従来構成と同じであるので、ここではその説明は省略する。図１は本発明の１つの実施例の室内機の電装品箱の端子台搭載板が取り付けられた電装品箱本体を示し、図２は端子台搭載板の３面図を示す。本実施例の端子台搭載板８４は、端子台(図示せず）が搭載される平面四角形状の端子台取付板８４ａと、脚板８４ｂ，８４ｃを備える。
【００２２】
端子台取付板８４ａは、電装品箱本体８１の本体側板８１ｃを向く側である先端の自由端に、電装品箱本体８１の底板８１ａと反対方向に直角に折り曲げられた補強片８４ａ１が形成され、電装品箱本体８１の本体側板８１ｂの側である基端部に、電装品箱本体８１の底板８１ａの方向に直角に折り曲げられた取付フランジ８４ａ２が形成されている。
【００２３】
脚板８４ｂは、端子台取付板８４ａから直角に折り曲げて形成された三角部８４ｂ１と、その三角部８４ｂ１に連続する下脚部８４ｂ２と、その下脚部８４ｂ２における三角部８４ｂ１と反対側を直角に折り曲げて形成された取付片８４ｂ３を有する。三角部８４ｂ１は、基端部の側の脚長が矢印Ａ方向に長く、端子台取付板８４ａの補強片８４ａ１の側の脚長が矢印Ａ方向に短い略三角形に形成されている。また、三角部８４ｂ１と下脚部８４ｂ２の基端部の側には、脚板８４ｃの方向に直角に折り曲げて形成された取付フランジ８４ｂ４が設けられている。
【００２４】
脚板８４ｃは、端子台取付板８４ａから直角に折り曲げて形成された三角部８４ｃ１を有する。この三角部８４ｃ１は、基端部の側の脚長が矢印Ａ方向に長く、端子台取付板８４ａの先端の補強片８４ａ１の側の脚長が矢印Ａ方向に短い略三角形に形成されている。また、基端部の側には脚板８４ｂの方向に直角に折り曲げて形成された取付フランジ８４ｃ２が設けられている。なお、この脚板８４ｃには、脚板８４ｂの下脚部８４ｂ２に対応する下脚部や、取付片８４ｂ３に対応する取付片は設けられていない。
【００２５】
さて、この端子台搭載板８４の本体側板８１ｂに対する取り付けは、脚板８４ｃの外面を補強片８１ｂ２の内面にガイドし、脚板８４ｂ，８４ｃの基端部の取付フランジ８４ｂ４，８４ｃ２が本体側板８１ｂの内面に当接するように位置合わせした状態で、取付フランジ８４ａ２，８４ｂ４，８４ｃ２をねじにより電装品箱本体８１の本体側板８１ｂに、ケーブル挿通プレート８３の下部となるように取り付け、取付片８４ｂ３を電装品箱本体８１の底板８１ａにねじにより取り付けることで、完了する。
【００２６】
これにより、端子台搭載板８４は、脚板８４ｂ，８４ｃと、取付フランジ８４ａ２，８４ｂ４，８４ｃ２、および取付片８４ｂ３によって、矢印Ａ方向からの荷重に対して大きな耐久力を発揮する。このため、その端子台取付板８４ａに取り付けた端子台の端子に対して、ケーブル挿通プレート８３の孔８３ａから引き込んだケーブルの先端をドライバ等で取り付ける際の作業を確実に行うことができ、そのとき電装品箱本体８１の本体側板８１ｂに撓みが生じる恐れはない。また、脚板８４ｂの取付片８４ｂ３は、電装品箱本体８１の底板８１ａにおける本体側板８１ｂの内面（つまり底板８１ａの中央から大きく離れた箇所）に位置するので、その取付片８４ｂ３が底板８１ａに取り付けられる基板に搭載される電子部品や配線に与える影響は極めて小さくなる。
【００２７】
なお、端子台搭載板８４の一方の脚板８４ｂの下端の取付片８４ｂ３は必ずしも設けなくてもよい。また、この脚板８４ｂは、電装品箱本体８１の底板８１ａで支持されるようにする他、その底板８１ａに取り付けられる基板で支持されるようにしてもよい。
【符号の説明】
【００２８】
１０：前面板、２０：背面板、３０：差側面板、４０：右側面板、５０：底面板、６０：ファン装置、７０：熱交換器、８０，８０Ａ：電装品箱
８１：電装品箱本体、８１ａ：底板、８１ｂ，８１ｃ：本体側板、８１ｄ，８１ｅ：取付フランジ
８２：電装品箱蓋、８２ａ：天板、８２ｂ，８２ｃ：蓋側板、８２ｄ，８２ｅ：：取付フランジ
８３：ケーブル挿通プレート、８３ａ：ケーブル挿通孔
８４：端子台搭載板、８４ａ：端子台取付板、８４ａ１：補強片、８４ａ２：取付フランジ、８４ｂ：脚板、８４ｂ１：三角部、８４ｂ２：下脚部、８４ｂ３：取付片、８４ｂ４：取付フランジ、８４ｃ：脚板、８４ｃ１：三角部、８４ｃ２：取付フランジ
８５，８５Ａ：端子台搭載板、８５ａ：端子台取付板、８５ｂ：取付フランジ、８５ｃ，８５ｄ：脚板
【図１】
2016095074.tif 000003
【図２】
2016095074.tif 000004
【図３】
2016095074.tif 000005
【図４】
2016095074.tif 000006
【図５】
2016095074.tif 000007